(57)【要約】【課題】エレベータのかご室に空調装置を後付けで取り付ける際に、穴開け位置の基準となる目印を簡単且つ正確に描くこと、および穴開け作業を容易に行うことができるようにすることを課題とする。【解決手段】シート状部材からなるテンプレート本体１１に、例えば冷房装置を取り付けるボルトの穴位置を示す位置表示部１２と、冷房装置の空気流通口と外部側とを貫通させる開口部の穴位置を示す位置表示部１３、１４とを形成してテンプレート１０とする。そして、テンプレート１０をエレベータの乗りかごの側板に位置合わせし、テンプレート１０の切り欠き部１２〜１４をマーキング手段でなぞることにより、側板２に穴開けの目印を描き、さらに、この目印に基づいて冷房装置を取り付けるボルトの穴と、冷房装置の空気流通口と外部側とを貫通させる開口部の穴とを形成する。【選択図】図１
2008037597.tif 000002
【特許請求の範囲】
【請求項１】
エレベータの乗りかごに設置可能なシート状のテンプレート本体に、空調装置を取り付ける取り付け部材用の穴開け位置を示す第１の位置表示部と、前記空調装置の空気流通口と外部側とを貫通させる開口部の穴開け位置を示す第２の位置表示部の少なくともいずれか一方が形成されていることを特徴とするエレベータの乗りかごに設置される空調装置のテンプレート。
【請求項２】
前記第１もしくは第２の切り欠き部の形状が溝穴もしくは角穴であることを特徴とする請求項１に記載のエレベータの乗りかごに設置される空調装置のテンプレート。
【請求項３】
前記テンプレート本体には、非穴開け位置を示す目印が設けられ、前記第２の位置表示部は、前記目印を境にして左右に分割されていることを特徴とする請求項１または２のいずれか一項に記載のエレベータの乗りかごに設置される空調装置のテンプレート。
【請求項４】
前記テンプレート本体には、前記乗りかごに設置するための固定手段が設けられることを特徴とする請求項１乃至３のいずれか一項に記載のエレベータの乗りかごに設置される空調装置のテンプレート。
【請求項５】
前記第１および第２の位置表示部は、前記テンプレート本体を、取付対象となる側板もしくは天井の基準位置に突き当てたときに、前記空調装置の正規の取り付け位置と一致するように形成されていることを特徴とする請求項１乃至４のいずれか一項に記載のエレベータの乗りかごに設置される空調装置のテンプレート。
【請求項６】
請求項１乃至請求項５のいずれか一項に記載されるテンプレートを、エレベータの乗りかごの側板もしくは天井に位置合わせする工程と、
前記テンプレートの前記第１および第２の位置表示部をマーキング手段でなぞることにより、前記側板に穴開けの目印を描く工程と、
前記目印に基づいて、前記冷房装置を取り付ける取り付け部材用の穴と、前記空調装置の空気流通口と外部側とを貫通させる開口部の穴とを形成する工程と、
を有することを特徴とするエレベータの乗りかごに設置される空調装置のテンプレート使用方法。
【発明の詳細な説明】
【技術分野】
【０００１】
この発明は、エレベータの乗りかご内に空調装置を取り付ける際に用いられるテンプレートと、このテンプレートを用いた使用方法に関する。
【背景技術】
【０００２】
ビルなどに設置されるエレベータには、乗りかごに冷却装置が取り付けられている（特許文献１参照）。こうした冷房装置のほとんどは、乗りかごの大きさ等に応じて専用に設計されたものであり、エレベータ設置前に乗りかごに取り付けられている。一方、既存の乗りかごに後付け方式で取り付けるようにした冷房装置も提案されている（特許文献２参照）。
【特許文献１】特開平８−２４５１３６号公報
【特許文献２】特開２００５−２８０９０１号公報
【発明の開示】
【発明が解決しようとする課題】
【０００３】
上記のような後付け方式の冷房装置は、乗りかご本体の天井裏（かご室外部）に装置本体が取り付けられ、冷気の吹き出し口が乗りかご内に配置されている。しかしながら、この構造では、冷房装置本体が天井裏のスペースを一部占有することになるため、とくに小型の乗りかごでは種々の制約を受けることになる。また後付け方式の場合、オーバーヘッド寸法を変更できないことがほとんどであるため、冷房装置の設置自体ができない場合もある。そこで、冷房装置本体をかご室内に取り付けることが考えられる。
【０００４】
冷房装置をかご室内に取り付けることを想定した場合には、かご室内の背面または側面の板にボルト穴や空気流通口を開ける必要がある。このときに、作業者はかご室内の寸法を測り、側板に油性ペンやケガキ用のペン等を使って穴開け位置の基準となる目印を付け、この目印に基づいて穴開け作業を行うことになる。しかしながら、このような取付方法では、穴開けのための目印を付ける作業に手間と時間がかかることになる。また、不慣れな作業者では目印を正確に付けることが難しく、冷房装置を正しい位置に取り付けられなくなることが考えられる。さらに、間違った位置に穴を開けてしまった場合には冷房装置の取り付けそのものができなくなることが考えられる。
【０００５】
とくに、かご室の側板裏に配置されている梁を避けるように穴を開ける場合には、目印を正確に付けることができないと、穴開けの際に梁を傷付けてしまうおそれがある。
【０００６】
本発明の目的は、穴開け位置の基準となる目印を簡単かつ正確に描くことができるテンプレートを提供することにある。
【０００７】
また、本発明の他の目的は、上記テンプレートを用いて例えば冷房装置などの空調装置を設置するための穴開け作業を容易に行うことができる穴開け方法を提供することにある。
【課題を解決するための手段】
【０００８】
上記目的を達成するため、請求項１の発明は、エレベータの乗りかごに設置可能なシート状のテンプレート本体に、空調装置を取り付ける取り付け部材用の穴開け位置を示す第１の位置表示部と、前記空調装置の空気流通口と外部側とを貫通させる開口部の穴開け位置を示す第２の位置表示部の少なくともいずれか一方が形成されていることを特徴とするエレベータの乗りかごに設置される空調装置のテンプレートである。
【０００９】
請求項２の発明は、請求項１において、前記第１もしくは第２の切り欠き部の形状が溝穴もしくは角穴であることを特徴とする。
【００１０】
請求項３の発明は、請求項１または２において、前記テンプレート本体には、非穴開け位置を示す目印が設けられ、前記第２の位置表示部は、前記目印を境にして左右に分割されていることを特徴とする。
【００１１】
請求項４の発明は、請求項１乃至３のいずれか一項において、前記テンプレート本体には、前記乗りかごに設置するための固定手段が設けられることを特徴とする。
【００１２】
請求項５の発明は、請求項１乃至４のいずれか一項において、前記第１および第２の位置表示部は、前記テンプレート本体を、取付対象となる側板もしくは天井の基準位置に突き当てたときに、前記空調装置の正規の取り付け位置と一致するように形成されていることを特徴とする。
【００１３】
また、上記目的を達成するため、請求項６の発明は、請求項１乃至請求項５のいずれか一項に記載されるテンプレートを、エレベータの乗りかごの側板もしくは天井に位置合わせする工程と、前記テンプレートの前記第１および第２の位置表示部をマーキング手段でなぞることにより、前記側板に穴開けの目印を描く工程と、前記目印に基づいて、前記冷房装置を取り付ける取り付け部材用の穴と、前記空調装置の空気流通口と外部側とを貫通させる開口部の穴とを形成する工程とを有する。
【発明の効果】
【００１４】
請求項１の発明によれば、テンプレート本体に、あらかじめ例えばボルト等の取り付け部材や空気流通口の穴開け位置を示す位置表示部が形成されているため、作業者がこの位置表示部の縁に沿ってマーキング手段でなぞるだけで、穴開けの基準となる目印を簡単且つ正確に描くことができる。
【００１５】
請求項２の発明によれば、第１もしくは第２の切り欠き部の形状を溝穴とした場合は、マーキング手段の先端を溝穴に沿って移動するだけでよく、マーキング手段の位置ずれを気にする必要がないため、目印をより簡単に描くことができる。また、テンプレート本体に開けられる穴の面積が少ないため、厚紙などの比較的強度の低い部材を用いることができる。さらに、１つのテンプレート本体に大きさの異なる複数の切り欠き部を形成することができるので、１枚のテンプレートで多種類の空調装置の取り付けに対応させることができる。また、第１もしくは第２の切り欠き部の形状を角穴とした場合は、マーキング手段の先端形状（太い、細い）に係わらず目印を容易に描くことができる。
【００１６】
請求項３の発明によれば、作業者は、例えば冷房装置などの空調装置を取り付ける位置に梁などの非穴開け部が存在する場合には、この非穴開け部の位置を側板の端からの距離を測って特定し、特定した非穴開け部とテンプレート本体の非穴開け位置を示す目印とを目視で一致させることにより、非穴開け部を避けて穴開けを行うことができる。したがって、穴開けの際に梁などの非穴開け部を傷付けてしまうことを防止することができる。
【００１７】
請求項４の発明によれば、簡易な手段により、経験の差によることもなく、テンプレートを乗りかごに固定することができる。
【００１８】
請求項５の発明によれば、作業者は、かご室内の寸法を測ることなしに、テンプレート本体を側板もしくは天井の基準位置に突き当てるだけで、テンプレートを空調装置の正規の取り付け位置と一致するように位置合わせすることができる。
【００１９】
請求項６の発明によれば、請求項１乃至５のテンプレートを用いることによって、空調装置を設定するための穴開け位置の基準となる目印を簡単かつ正確に描くことができるので、空調装置を設置するための穴開け作業を容易に行うことができる。
【発明を実施するための最良の形態】
【００２０】
以下、本発明を、エレベータの乗りかごに設置される冷房装置の取り付け用テンプレート、およびこのテンプレートを用いた穴開け方法に適用した場合の実施形態について説明する。
【００２１】
図１は、本実施形態に係わるテンプレートの平面図である。このテンプレート１０のテンプレート本体１１には、図示しない冷房装置を取り付けるボルトの穴位置を示すボルト用切り欠き部１２と、冷房装置の空気流通口と外部側とを貫通させる開口部の穴位置を示す開口用切り欠き部１３、１４とがそれぞれ形成されている。以下の説明において、ボルト用切り欠き部１２、開口用切り欠き部１３、１４を適宜に切り欠き部という。また図１では、実際に取り付けられる冷房装置の輪郭を二点鎖線で示している。
【００２２】
テンプレート本体１１は、各切り欠き部１２〜１４を形成可能な部材であればどのような部材を用いてもよく、例えば、紙、樹脂、金属等のシート状部材を用いることができる。したがって、部材を適宜選択することにより、使い捨てにもできるし、繰り返し使用に耐えられるようにもできる。
【００２３】
ボルト用切り欠き部１２は、冷房装置の幅方向に対して左右に２ヶ所づつ形成されている。冷房装置を乗りかごの側板に固定するには、側板に取付用ブラケットを設置し、この取付用ブラケットに緩衝部材を介して冷房装置を取り付けることになる。ボルト用切り欠き部１２は、この取付用ブラケットを側板に固定するボルトの穴位置を示している。本実施形態では、ボルト用切り欠き部１２を十字形とし、作業者が油性ペンやケガキ用のペン等のマーキング手段で切り欠きを十字になぞったときに、側板の表面に十字の目印が描かれるようにしている。作業者は、この十字の目印の中心にポンチでガイド用の凹みを形成し、この凹みにドリルの先端を合わせて穴開けを行うことにより、正確な位置に穴開けを行うことができる。ただし、ボルト用切り欠き部１２はボルトの中心位置が特定できればその形状は限定されるものではなく、十字形以外の形状としてもよい。
【００２４】
開口用切り欠き部１３、１４は、冷房装置の略中央付近に形成されている。この切り欠きに基づいて開けられる開口部は、乗りかごの外部（昇降路）から空気を冷房装置に取り込むための空気導入口と、冷房装置の内部で熱交換した空気を外部に排出する空気排出口の役割を果たすことになる。以下、空気導入口と空気排出口を空気流通口と総称する。
【００２５】
本実施形態では、開口用切り欠き部１３、１４の形状を、内部がくり貫かれた角穴形状とし、作業者が切り欠き部の縁に沿ってマーキング手段でなぞったときに、側板の表面に四角形の目印が描かれるようにしている。したがって、本実施形態のテンプレート１０によれば、テンプレート本体１１に、あらかじめボルトや空気流通口の穴開け位置を示す切り欠き部１２〜１４が形成されているため、作業者が切り欠き部１２〜１４の縁に沿ってマーキング手段でなぞるだけで、穴開けの基準となる目印を簡単且つ正確に描くことができる。すなわち、本実施形態のテンプレート１０を用いることにより、作業者の習熟度や技能レベルに係わらず、穴開けの基準となる目印を簡単且つ正確に描くことができる。
【００２６】
そして作業者は、この十字形や四角形の目印に沿って側板を加工することにより、ボルトの穴および冷房装置の空気流通口と外部とを貫通させる開口部の穴を正確な位置に空けることができる。
【００２７】
とくに、本実施形態のように、開口用切り欠き部１３、１４を角穴形状とした場合は、マーキング手段の先端形状（太い、細い）に係わらず目印を容易に描くことができる。また、側板を見ながら作業を行うことができるため、位置合わせを容易に行うことができる。
【００２８】
また、開口用切り欠き部１３、１４の中央部には、非穴開け位置を示す目印１５が設けられている。この目印１５は、かご室の側板裏に配置されている梁（図１破線で示す）３を避けて穴を開けるための目印であり、本実施形態のテンプレート１０では、この目印１５を境にして左右に分割して開口用切り欠き部１３、１４が形成されている。
【００２９】
作業者は、冷房装置を取り付ける位置に梁が存在する場合には、かご室の設計図に示された梁の位置を側板の端からの距離により特定し、特定した梁の位置と目印１５とを目視で一致させることにより、梁を避けて穴開けを行うことができる。また、テンプレート１０の配置予定位置内に側板の継ぎ目があるときには、継ぎ目の線と目印１５とを目視で一致させることにより、梁を避けて穴開けを行うことができる。
【００３０】
なお、後述するように、あらかじめ梁の位置を考慮して切り欠き部１３、１４の寸法、形状および位置を決めておくことにより、梁の位置と目印１５とを目視で一致させることなしに、切り欠き部１３、１４が梁の位置を避けるようにテンプレート１０の位置合わせを行うことができる。したがって、目印が不正確な時の穴開け作業で梁を傷つけてしまう不具合を回避することができる。
【００３１】
また、テンプレート１０のボルト用切り欠き部１２、および開口用切り欠き部１３、１４は、テンプレート本体１１を取付対象となる側板の基準位置に突き当てたときに、冷房装置の正規の取り付け位置と一致するように形成されている。すなわち、テンプレート本体１１の縦横の寸法や、ボルト用切り欠き部１２、および開口用切り欠き部１３、１４の形状、寸法および位置は、テンプレート本体１１を側板の基準位置、例えば側板の上部や側板の横側部に突き当てたときに、冷房装置の正規の取り付け位置と一致するように形成されている。更に詳しくは隣接する側板(例えば一側面)と側板(例えば後方面)との接点、側板と天井との接点、側板と入口柱(リターンパネル)との接点、一側面を複数の側板で構成する場合の隣接する複数の側板の接点、などである。
【００３２】
本実施形態のテンプレート１０では、かご室の大きさや梁の位置、冷房装置の仕様に応じて、あらかじめテンプレート１０の縦横の寸法や、各切り欠き部１２〜１４の形状、寸法および位置を定めている。したがって、作業者はテンプレート本体１１を側板の基準位置に突き当てるだけで、テンプレート１０を冷房装置の正規の取り付け位置と一致するように位置合わせすることができる。
【００３３】
図２は、テンプレートの他の実施形態を示す平面図であり、図１と同等部分を同一符号で示している。このテンプレート２０では、テンプレート本体２１に、略コ字形の開口用切り欠き部２２、２３を形成している。本実施形態では、開口用切り欠き部２２、２３の形状を溝穴形状とし、作業者が切り欠きの溝穴をマーキング手段でなぞったときに、側板の表面に略コ字形の目印が描かれるようにしている。この例では、目印が略コ字形となるため、作業者はつながっていない上下の部分に定規等を当てて、マーキング手段でなぞることにより、四角形の目印を描くことができる。そして、作業者は、この四角形の目印に沿って側板に穴を開けることにより、冷房装置の空気流通口と外部とを貫通させる開口部を正確な位置に開けることができる。
【００３４】
本実施形態のように、開口用切り欠き部２２、２３を溝穴形状とした場合は、マーキング手段の先端を溝穴に沿って移動するだけでよく、マーキング手段の位置ずれを気にする必要がないため、目印をより簡単に描くことができる。また、テンプレート本体２１に開けられる穴の面積が少ないため、厚紙などの比較的強度の低い部材を用いることができる。さらに、１つのテンプレート本体２１に大きさの異なる複数の切り欠き部を形成することができるので、１枚のテンプレートで多種類の冷房装置の取り付けに対応させることができる。
【００３５】
また、本実施形態では、開口用切り欠き部２２、２３を略コ字形の溝穴としているが、Ｌ字形またはＩ字形の溝穴を組み合わせたものでもよいし、四角形の四隅のみを示す穴であってもよい。
【００３６】
そのほか、図１に示すテンプレート１０と共通する構成については説明を省略する。
【００３７】
次に、上述したようなテンプレートを用いた穴開け方法の具体例について説明する。ここでは、図１に示すテンプレート１０を用いた例について説明するが、図２に示すテンプレート２０を用いた場合も同様に作業を行うことができる。
【００３８】
図３は、エレベータのかご室内を示す斜視図であり、かご床から天井方面を見たときの様子を示している。
【００３９】
最初の工程で作業者は、エレベータのかご室１内において、テンプレート本体１１の上端を側板２の上部２ａと突き当てるとともに、同じくテンプレート本体１１の左側端を側板２の横側部２ｂに突き当てる。
【００４０】
本実施形態のテンプレート１０では、先に説明したように、テンプレート本体１１の縦横の寸法と、ボルト用切り欠き部１２、および開口用切り欠き部１３、１４の形状、寸法および位置が冷房装置の正規の取り付け位置を考慮して決められている。すなわち、テンプレート本体１１の上端と左側端を、それぞれ側板２の基準位置となる上部２ａや横側部２ｂに突き当てたときに、各切り欠き部が梁の位置を避けて配置され且つ冷房装置の正規の取り付け位置と一致するように、テンプレート本体の寸法や、切り欠き部の形状、寸法および位置が決められている。
【００４１】
したがって、作業者はかご室内の寸法を測ることなしに、テンプレート本体１１を側板２の基準位置に突き当てるだけで、テンプレート１０を冷房装置の正規の取り付け位置と一致するように位置合わせすることができる。
【００４２】
次の工程で作業者は、ボルト用切り欠き部１２、および開口用切り欠き部１３、１４をマーキング手段でなぞり、側板２の表面に穴開け位置の基準となる十字や四角形の目印を描く。ちなみに、マーキング手段として油性ペンを用いた場合には、側板２の表面に例えば黒色の線が描かれ、ケガキ用のペンを用いた場合には、側板２の表面にケガキ線が描かれることになる。
【００４３】
次の工程で作業者は、描かれた十字や四角形の目印に沿って側板２に穴を開ける。これにより、冷房装置を取り付けるボルトの穴と、冷房装置の空気流通口と外部とを貫通させる開口部の穴とを形成することができる。このとき、冷房装置の空気流通口と外部とを貫通させる開口部の穴は、梁を避けた位置に開けられるので、穴開けの際に梁を傷付けてしまうことを防止することができる。
【００４４】
以上の工程を経ることにより、本実施形態によるテンプレート１０を用いた穴開けの作業は終了する。
【００４５】
したがって、本実施形態に係わるテンプレート１０（２０）によれば、冷房装置を設定するための穴開け位置の基準となる目印を簡単かつ正確に描くことができる。また、本実施形態に係わる上記テンプレートを用いた穴開け方法によれば、冷房装置を設置するための穴開け作業を容易に行うことができる。
【００４６】
本実施形態では、あらかじめ梁の位置を考慮して切り欠き部１３、１４の寸法、形状および位置を決めておく例について示したが、先に説明したように、実測した梁の位置とテンプレート１０の目印１５、または梁が側板２の継ぎ目にあるときは継ぎ目の線とテンプレート１０の目印１５とを目視で一致させることにより、切り欠き部１３、１４が梁の位置を避けるようにテンプレート１０を位置合わせすることができる。
【００４７】
また、テンプレート１０の裏面に粘着テープやマグネットプレートなどの固定手段を貼り付け、位置合わせ後にテンプレート本体１１を側板２に貼り付けるようにしてもよい。この場合、作業者はマーキング手段で目印を描くときに、テンプレート本体から手を離すことができるので、作業性が向上する。
【００４８】
また、かご室の大きさや冷房装置の仕様に応じた切り欠き部の位置をテンプレート本体表面に複数印刷しておき、作業前に必要な部分の切り欠き部のみを切り抜くようにしてもよい。この場合は、１枚のテンプレートで多種類の冷房装置の取り付けに対応させることができる。
【図面の簡単な説明】
【００４９】
【図１】実施形態に係わるテンプレートの平面図である。
【図２】本実施形態に係わるテンプレートの他の実施形態を示す平面図である。
【図３】エレベータのかご室内を示す斜視図である。
【符号の説明】
【００５０】
１… かご室
２…側板
２ａ…側板の上部
２ｂ…側板の横側部
１０、２０…テンプレート
１１、２１…テンプレート本体
１２…ボルト用切り欠き部（第１の位置表示部）
１３、１４、２２、２３…開口用切り欠き部（第２の位置表示部）
１５…目印
【図１】
2008037597.tif 000003
【図２】
2008037597.tif 000004
【図３】
2008037597.tif 000005